(57)【要約】【課題】  簡単な構成により不用意にレンズへの接触を回避させてレンズの汚染による不具合を解消することができる構成を備えた光ピックアップ装置を提供する。【解決手段】  光ディスクに対面するレンズを備え、該レンズが上記光ディスクの内周方向および外周方向に移動されることで走査可能な構成を備えた光ピックアップ装置において、上記光ディスクを回転駆動するスピンドルモータに上記光ディスクを固定するクランプ３を支持するためのクランプホルダー２の占有領域内と該占有領域から上記光ディスクに対する走査領域へと移動させるための移動手段１０４とを備え、上記移動手段１０４は、上記光ディスクを外部に引き出す際または光ディスクに対する書き込みあるいは再生終了時のいずれかの時期に上記レンズを上記クランプホルダー２の占有領域内に位置させることを特徴としている。【選択図】        図７
2005293694.tif 000002
【特許請求の範囲】
【請求項１】
光ディスクに対面するレンズを備え、該レンズが上記光ディスクの内周方向および外周方向に移動されることで走査可能な構成を備えた光ピックアップ装置において、
上記光ディスクを回転駆動するスピンドルモータに上記光ディスクを固定するクランプを支持するためのクランプホルダーの占有領域内と該占有領域から上記光ディスクに対する走査領域へと移動させるための移動手段とを備え、
上記移動手段は、上記光ディスクを外部に引き出す際または光ディスクに対する書き込みあるいは再生終了時のいずれかの時期に上記レンズを上記クランプホルダーの占有領域内に位置させることを特徴とする光ピックアップ装置。
【請求項２】
請求項１記載の光ピックアップ装置において、
上記移動手段は、上記光ディスクが搭載されるトレイが引き込まれる際に該光ディスクが搭載されていない場合に上記レンズの位置を上記クランプホルダーの占有領域内に設定することを特徴とする光ピックアップ装置。
【請求項３】
請求項１または２記載の光ピックアップ装置において、
上記移動手段は、電源をオンされたときの所期化動作を行う際に上記光ディスクが搭載されていない場合に上記レンズの位置を上記クランプホルダーの占有領域内に設定することを特徴とする光ピックアップ装置。
【請求項４】
請求項１乃至３のうちの一つに記載の光ピックアップ装置を用いることを特徴とする光ディスク装置。
【請求項５】
請求項４記載の光ディスク装置において、
上記クランプホルダーは、上記光ディスクの最内周位置に上記光ピックアップが位置している場合に光ピックアップ装置の全体を覆うことができる大きさを備えていることを特徴とする光ディスク装置。
【請求項６】
上記光ディスクに対する走査機構として、レンズ部を含む光学ピックアップアクチュエータ部、そのアクチュエータ部を保持し、かつ、半導体レーザなど光学部品が組み込まれたピックアップハウジング部、そのピックアップハウジング部を保持する２本のレールシャフト部，そのレールシャフトを保持し、かつ、光ディスクの回転駆動手段であるスピンドルモータ，レンズの移動手段であるシークモータおよび、モータ基板などをで構成されるピックアップモジュール部，そのモジュール部が固定されたドロワー部，そのドロワー部全体をドライブ筐体内部に保持するロック機構，そのロック機構を解除する機構、イジェクト操作を認識するイジェクトボタン部、信号処理を行う電子部品が搭載された回路基板および外装部品を備え、これら各部が光ディスクと共に外部に引き出し可能な構成である光ディスク装置において、
光ディスクの引き出し指令が行われた場合に上記レンズを上記光ディスクと対向しない位置に設けてある保護部により覆い隠せる構成を備えていることを特徴とする光ディスク装置。
【請求項７】
請求項６記載の光ディスク装置において、
上記レンズの保護部は、上記光ディスクの最外周位置よりも外側の位置で上記外装部品の一部に設けられて上記レンズの上方に張り出す構成であることを特徴とする光ディスク装置。
【請求項８】
請求項７記載の光ディスク装置において、
上記レンズの保護部は、上記レンズの上方を覆うことができる方向の移動習性を付与されたカバー部材を備え、該カバー部材は、上記ピックアップハウジング部が上記シークモータにより光ディスクの外周に向け移動した際に作動されることにより上記レンズの上方を覆う位置に移動する構成であることを特徴とする光ディスク装置。
【請求項９】
請求項８記載の光ディスク装置において、
上記カバー部材は、上記レンズの上方を覆う位置と該レンズの上方から外れる位置とに変位可能であり、通常、上記レンズの上方から外れる位置への変位習性が付与され、上記ピックアップハウジングとの干渉時に上記変位習性に抗して上記レンズの上方を覆う位置に変位する構成であることを特徴とする光ディスク装置。
【請求項１０】
請求項８または９記載の光ディスク装置において、
上記カバー部材は、支点を挟んで回転可能な片部材で構成され、該支点を挟んで一方の回動端には上記レンズの上方から外れる向きの変位習性を付与する付勢部材が設けられ、他方の回動端が上記ピックアップハウジングと干渉する部位とされ、該回動端の他方がピックアップハウジングと干渉した際に回動することにより回動端の一方で上記レンズの上方を覆う構成であることを特徴とする光ディスク装置。
【発明の詳細な説明】
【技術分野】
【０００１】
本発明は、光ピックアップ装置および光ディスク装置に関し、さらに詳しくは、ピックアップ装置に用いられるレンズの保護機構に関する。
【背景技術】
【０００２】
大容量の情報を記録する媒体の一つに光ディスクがあり、光ディスクには、１回だけの書き込みが可能なＣＤ−Ｒ（ＣＤレコーダブル）、複数回の書き込み消去を繰り返し可能なＣＤ−Ｅ（ＣＤイレーザブル）あるいはＣＤ−ＲＷ（ＣＤリライタブル）がある。また、ＣＤとは別にこれよりもさらに大容量の情報記録が可能なＤＶＤ（デジタルバーサライトディスク）もある。
【０００３】
これら各光ディスクの読み書きを行う光ディスク装置には、光ピックアップおよびこれに関連する部材を収納している光ディスク装置本体から光ディスクを搭載した状態で保持可能なトレイ部のみが外部に取り出される方式と、光ピックアップおよびこれに関連する部材が収納されている光ディスク装置本体毎、外部に取り出される方式とがある。
【０００４】
上述した各方式を用いる光ディスク装置には、概ね、次の構成部材が装備されている。
光ピックアップ、光ピックアップのアクチュエータ、アクチュエータを支持しかつ、光源である半導体レーザー等の光学部品が組み込まれているピックアップハウジング部、ピックアップハウジングをシークモータなどにより光ディスクの内周あるいは外周に向けて移動させるシークモータ等の駆動源およびピックアップハウジングを光ディスクの内周あるいは外周に向けてガイドするガイドレールなどを有した光ピックアップの移送手段、光ディスクの回転駆動を行うスピンドルモータ等である（例えば、特許文献１）。
【０００５】
前者の方式には、これら各構成部材の他に、光ディスクを搭載した状態で保持可能なトレイおよびトレイを摺動させるためのローディング機構が設けられ、後者の方式にはトレイおよびローディング機構がなく、各構成部材が外部に引き出し可能なシャーシに相当するドロワーに設けられている。
【０００６】
ところで、光ディスク装置がコンピュータの周辺機器として取り扱われるような場合、前者の方式では光ディスク装置そのものがケーシング内に納められており、そのケーシングの一部からトレイが外部に引き出せる構成であるが、ケーシングを取り除いて重量を軽減した状態でコンピュータに組み込むことがある。この場合には、光ピックアップに装備されているレンズが剥き出しとなる。
【０００７】
一方、後者の方式では、ドロワーそのものを外部に引き出すことから、前者の方式と同様に、光ピックアップに装備されているレンズが剥き出しとなる。
【０００８】
外部に露出した状態のレンズは、ユーザあるいはサービスマンに不用意に手を触れてしまうこともあり、これによりレンズの汚れにより読み書き走査性能を悪化させてしまう虞がある。
【０００９】
従来、レンズの保護を目的として、レンズカバーを設けて手が触れた場合でもレンズを汚さないようにする構成（例えば、特許文献１）、あるいはレンズを光ディスクの半径を超えて移動させてケーシング内に設けられたレンズ保護位置に位置決めする構成が提案されている（例えば、特許文献１）。
【００１０】
【特許文献１】特開平８−２６３８５１号公報（段落「０００６」欄）
【特許文献２】特開平９−３２００６０号公報（段落「０００５」、「０００７欄）
【発明の開示】
【発明が解決しようとする課題】
【００１１】
しかし、レンズカバーを設ける場合には、特別な構成となるばかりでなくレンズ全体の高さが高くなる。このため、、トレイの移動時にカバーが近隣部材と干渉する虞もあり、トレイ収容部のサイズが不用意に大型となる虞がある。
【００１２】
一方、ケーシング内に設けたレンズ保護位置に向け移動させる構成では、光ディスク装置内の既存構成とは別に保護するための構成が必要となり、構成の複雑さを招く虞がある。
【００１３】
本発明の目的は、上記従来の光ディスク装置における問題に鑑み、簡単な構成により不用意にレンズへの接触を回避させてレンズの汚染による不具合を解消することができる構成を備えた光ピックアップ装置および光ディスク装置を提供することにある。
【課題を解決するための手段】
【００１４】
請求項１記載の発明は、光ディスクに対面するレンズを備え、該レンズが上記光ディスクの内周方向および外周方向に移動されることで走査可能な構成を備えた光ピックアップ装置において、上記光ディスクを回転駆動するスピンドルモータに上記光ディスクを固定するクランプを支持するためのクランプホルダーの占有領域内と該占有領域から上記光ディスクに対する走査領域へと移動させるための移動手段とを備え、上記移動手段は、上記光ディスクを外部に引き出す際または光ディスクに対する書き込みあるいは再生終了時のいずれかの時期に上記レンズを上記クランプホルダーの占有領域内に位置させることを特徴としている。
【００１５】
請求項２記載の発明は、請求項１記載の光ピックアップ装置において、上記移動手段は、上記光ディスクが搭載されるトレイが引き込まれる際に該光ディスクが搭載されていない場合に上記レンズの位置を上記クランプホルダーの占有領域内に設定することを特徴としている。
【００１６】
請求項３記載の発明は、請求項１または２記載の光ピックアップ装置において、上記移動手段は、電源をオンされたときの所期化動作を行う際に上記光ディスクが搭載されていない場合に上記レンズの位置を上記クランプホルダーの占有領域内に設定することを特徴としている。
【００１７】
請求項４記載の発明は、請求項１乃至３のうちの一つに記載の光ピックアップ装置を光ディスク装置に用いることを特徴としている。
【００１８】
請求項５記載の発明は、請求項４記載の光ディスク装置において、上記クランプホルダーは、上記光ディスクの最内周位置に上記光ピックアップが位置している場合に光ピックアップ装置の全体を覆うことができる大きさを備えていることを特徴としている。
【００１９】
請求項６記載の発明は、上記光ディスクに対する走査機構として、レンズ部を含む光学ピックアップアクチュエータ部、そのアクチュエータ部を保持し、かつ、半導体レーザなど光学部品が組み込まれたピックアップハウジング部、そのピックアップハウジング部を保持する２本のレールシャフト部，そのレールシャフトを保持し、かつ、光ディスクの回転駆動手段であるスピンドルモータ，レンズの移動手段であるシークモータおよび、モータ基板などをで構成されるピックアップモジュール部，そのモジュール部が固定されたドロワー部，そのドロワー部全体をドライブ筐体内部に保持するロック機構，そのロック機構を解除する機構、イジェクト操作を認識するイジェクトボタン部、信号処理を行う電子部品が搭載された回路基板および外装部品を備え、これら各部が光ディスクと共に外部に引き出し可能な構成である光ディスク装置において、光ディスクの引き出し指令が行われた場合に上記レンズを上記光ディスクと対向しない位置に設けてある特徴としている。
【００２０】
請求項７記載の発明は、請求項６記載の光ディスク装置において、上記レンズの保護部は、上記光ディスクの最外周位置よりも外側の位置で上記外装部品の一部に設けられて上記レンズの上方に張り出す構成であることを特徴としている。
【００２１】
請求項８記載の発明は、請求項７記載の光ディスク装置において、上記レンズの保護部は、上記レンズの上方を覆うことができる方向の移動習性を付与されたカバー部材を備え、該カバー部材は、上記ピックアップハウジング部が上記シークモータにより光ディスクの外周に向け移動した際に作動されることにより上記レンズの上方を覆う位置に移動する構成であることを特徴としている。
【００２２】
請求項９記載の発明は、請求項８記載の光ディスク装置において、上記カバー部材は、上記レンズの上方を覆う位置と該レンズの上方から外れる位置とに変位可能であり、通常、上記レンズの上方から外れる位置への変位習性が付与され、上記ピックアップハウジングとの干渉時に上記変位習性に抗して上記レンズの上方を覆う位置に変位する構成であることを特徴としている。
【００２３】
請求項１０記載の発明は、請求項８または９記載の光ディスク装置において、上記カバー部材は、支点を挟んで回転可能な片部材で構成され、該支点を挟んで一方の回動端には上記レンズの上方から外れる向きの変位習性を付与する付勢部材が設けられ、他方の回動端が上記ピックアップハウジングと干渉する部位とされ、該回動端の他方がピックアップハウジングと干渉した際に回動することにより回動端の一方で上記レンズの上方を覆う構成であることを特徴としている。
【発明の効果】
【００２４】
請求項１乃至３記載の発明によれば、光ディスクを搭載可能なトレイが引き出される際あるいは書き込みあるいは再生終了時のいずれかの状況に応じてクランプホルダーの占有領域内にレンズを移動させてクランプホルダーによりレンズを覆うことができる。これにより、レンズ保護のための部材として既存構成部材であるクランプホルダーを用いることができるので、特別なレンズ保護部材を準備する必要がなくなり、簡単な構成とすることによりコスト低減が可能となる。
【００２５】
請求項４記載の発明によれば、レンズの非使用時にレンズを既存構成部材であるクランプホルダーの占有領域内が相当する保護位置まで移動させることができるので、レンズの汚損による書き込みあるいは再生不良を低減することが可能となる。
【００２６】
請求項５記載の発明によれば、光ピックアップ装置全体を覆うことができるクランプホルダーを用いるだけでレンズの汚損防止のための保護が可能となる。
【００２７】
請求項６および７記載の発明によれば、光ディスクの引き出し指令が出された場合に光ディスクの最外周位置よりも外側に光りピックアップ装置を移動させてレンズの保護ができるので、レンズへの接触機会が増える光ディスクの引き出し時において確実にレンズの保護が可能となる。
【００２８】
請求項８乃至１０記載の発明によれば、レンズの保護部に用いられるカバー部材が光りピックアップハウジングに移動に連動する構成であるので、特別な駆動機構を要することがなく、構成を簡略化してコスト低減が可能となる。
【発明を実施するための最良の形態】
【００２９】
以下、図面に示す実施例により本発明を実施するための最良の形態について説明する。
【実施例】
【００３０】
図１は、請求項１乃至５に記載の発明に係る実施例による光ピックアップ装置を適用した光ディスク装置の要部構成を示す模式図であり、同図に示す要部は、光ディスク装置の一つであるＤＶＤレコーダに内蔵される光ピックアップ装置のドライブ機構（ローディングユニット）に相当している。
【００３１】
同図において符号１は、ローディングユニットの外装部であり、内部には、クランプホルダー２が固定されている。クランプホルダー２は、光ディスクの回転駆動を行うスピンドルモータに光ディスクを固定保持するためのクランプ３を支持する部材であり、図示しないが光ディスクを搭載可能なトレイが外部に引き出された後も定位置にてクランプ３を保持するようになっている。
【００３２】
図１において符号４は光ピックアップ装置を構成するピックアップハウジングであり、光ディスクに対向するレンズ面を備えた対物レンズ５を備えている。  
ピックアップハウジング４は、光ディスクの径方向に軸方向を有する支持シャフト６に沿って移動することができ、光ディスク面上の情報を読み書き動作を実行する。
【００３３】
図２は、図１に示したドライブ機構の側面視による図であり、同図において、ピックアップハウジング４は、支持シャフト６に沿って図示しないシークモータの駆動により移動することができる。図２に示す状態は、ピックアップハウジング４が図示しない光ディスクと対向する位置に移動した状態であり、この状態ではピックアップハウジング４に装備されている対物レンズ５が剥き出しの状態となり、外部に露出されている。
【００３４】
図３は、ピックアップハウジング４の移動を行わせるための制御部１００の構成を説明するためのブロック図であり、同図において、制御部１００は、光ピックアップとしての条件の一部であるフォーカシングやトラッキング制御および読み取り信号処理などを行う部分であり、本実施例と関連する部材として入力側には、トレイの引き出し指令を出力するイジェクトスイッチ１０１，読み書き処理終了時を検知する操作部１０２および電源スイッチ１０３が接続され、出力側にはシークモータの駆動部１０４が接続されている。
【００３５】
制御部１００では、イジェクトスイッチ１０１による引き出し指令、読み書き終了信号あるいは電源スイッチ１０３の投入時に行われる初期化指令が入力されると、ピックアップハウジング４の位置を検知して強制的に光ディスクの最内周に位置させてクランプホルダー２により対物レンズ５を保護するようになっている。  
つまり、トレイの引き出し指令が出されると、トレイの引き出しに必要な処理である、読み書き処理の終了作業やデータ転送処理の終了作業が行われ、これら各作業が終了すると図示しないロック機構を解除してトレイを外部に引き出すための処理を行うとともに、ピックアップハウジング４を対物レンズ５の保護位置に向け移動させる。
【００３６】
対物レンズ５の保護位置は、本実施例の場合、光ディスク装置に既存構成部材として備えられているクランプホルダーの占有領域が用いられる。この結果、ピックアップハウジング４はクランプホルダー２の占有領域内に移動することにより、対物レンズ５の上方がクランプホルダー２によって覆われることになり、対物レンズ５への接触を回避できるようになる。制御部１００では、上述した作業終了時に一旦、ピックアップハウジング４の位置をシークモータの初期状態からの回転方向および回転量により判別し、光ディスクの最内周、つまりスピンドルモータに最も近い位置にない場合に最内周の位置に設けてあるクランプホルダー２の位置に向けピックアップハウジング４を移動させるようになっている。
【００３７】
このような処理は、読み書き終了時あるいは電源投入時の初期化処理時に同様に行われる。
【００３８】
図４は、ピックアップハウジング４が光ディスクの最内周に位置してクランプホルダー２の占有領域内に位置している状態を示しており、図５は図４に示した状態を平面視的に示す図である。ピックアップハウジング４が光ディスクの最内周に位置する場合には、クランプホルダー２により少なくとも対物レンズ４の上方が覆われるようになっているが、これに限らず、図６に示すように、平面視において光ディスクの最内周に位置した場合のピックアップハウジング４の全部がクランプホルダー２に覆われるようにクランプホルダー２の大きさを設定することも可能である。
【００３９】
次に、制御部１００の作用について説明する。  
図７は、制御部１００の動作を説明するためのフローチャートであり、同図において、イジェクトスイッチ１０１からのオン信号あるいはこれによるイジェクトコマンドによりトレイを外部に引き出す指令が入力されると（ＳＴ１）、現在行っているデータの読み書き処理あるいはデータ転送処理の終了作業が実行される（ＳＴ２）。  
各作業が終了すると、ピックアップハウジング４が最内周に位置しているかどうかが判別され（ＳＴ３）、最内周にない場合には、シークモータを駆動してピックアップハウジング４を最内周に移動させて対物レンズ５をクランプホルダー２の占有領域内に位置決めする（ＳＴ４）。ステップＳＴ４の処理が終了すると、トレイの引き出し作業が実行される（ＳＴ５）。このような処理が実行されることにより、トレイを引き出す指令が出された場合にはピックアップハウジング４の位置を割り出した上で、対物レンズ５を光ディスクの最内周に位置させてクランプホルダー２により保護することができるので、対物レンズ５に対して不用意な接触や汚染物質の付着を防止することができる。
【００４０】
図８は、従来のトレイ引き出し時での処理を示すフローチャートであり、図７において符号ＳＴ１，ＳＴ２で示した内容の処理が同様に実行された後、トレイが引き出される。このため、図４に示した本実施例の処理と違って、トレイが引き出されるときにはピックアップハウジングはステップＳＴ２の内容処理を終了した位置で止まるだけで、光ディスクの最内周に向けて強制的な移動がない。このため、ピックアップハウジングの位置によっては対物レンズ５が剥き出しのままとなり、トレイが引き出された際あるいは収納される際に浮遊物が付着したりあるいは接触する虞がある。
【００４１】
次に実施例の要部についての変形例を説明する。  
図９は、トレイが引き込まれる場合の処理に関する従来例を説明するためのフローチャートであり、同図において、イジェクトスイッチあるいはロードコマンドによるトレイの引き込み指令が出されると（ＳＴ１０）、トレイが引き込み操作される（ＳＴ１１）。  
トレイが光ディスク装置内に引き込まれると、トレイ上に光ディスクが搭載されているかどうかが判別され（ＳＴ１２）、光ディスクが搭載されている場合にはピックアップハウジングが通常のマウント動作が実行され（ＳＴ１３）、搭載されていない場合にはピックアップハウジングは現段階の位置で待機動作を実行される（ＳＴ１４）。
【００４２】
このような処理が実行されると、ピックアップハウジングは現段階での位置に止まることになり、対物レンズが剥き出しのままとなる状態もある。つまり、光ディスクの搭載状況を判別するのはピックアップを用いるのでなく、スピンドルモータの回転トルクが判別条件として用いられる。このため、ピックアップハウジングの位置に関係なく光ディスクが搭載されていない場合が判別されることになる。この結果、交換や保守点検作業などにおいて対物レンズに接触したりあるいは周辺からの浮遊物質の付着が発生する。
【００４３】
本実施例においては、トレイの引き込み時においてもピックアップハウジングの位置を検知して対物レンズを保護するようになっている。  
図１０は、この場合の制御部１００の作用を説明するためのフローチャートであり、同図において、図１０におけるステップＳＴ１２において光ディスクが搭載されていないと判断した場合には、ピックアップハウジング４の位置が割り出され（ＳＴ１５）、最内周に位置していない場合には最内周に向けて移動される（ＳＴ１６）。このような処理により、引き込まれたトレイ上に光ディスクが搭載されていない場合においてピックアップハウジング４の対物レンズ５が剥き出しになることがないので、接触や汚損物質の付着を確実に防止することができる。
【００４４】
以上のような実施例においては、クランプホルダーという既存構成部材を対物レンズの保護部として利用することができるので、特別な保護構造を付設することがなく、簡易な構成によるレンズ保護が可能となる。
【００４５】
次に、請求項６および７記載の発明に関する実施例について説明する。  
本実施例は、光ディスクを搭載するトレイのみが引き出される構成ではなく、ピックアップを含むアクチュエータをはじめとする各部材がともにシャーシに相当するドロワに組み込まれ、ドロワ自体が引き出し操作される構成を対象としている。
【００４６】
図１１は、ドロワ自体が引き出し可能なスリムタイプと称される光ディスク装置の要部を示す平面図であり、同図において、光ディスク装置２００の外装ケース２０１には、ガイドレール２０１Ａにより外部に引き出す方向に摺動案内されるドロワ２０２が設けられており、ドロワ２０２の底板にはピックアップモジュール２０３が設けられている。  
ピックアップモジュール２０３には、光ディスクＤを回転駆動するスピンドルモータ２０４、対物レンズ２０５を備えたピックアップアクチュエータ２０６，を装備して光ディスクＤの半径方向に並置されたガイド軸２０７によって摺動可能なピックアップハウジング２０８およびピックアップハウジング２０８を光ディスクの内周および外周に向けて摺動させる駆動部材としてのシークモータ２０９が設けられている。  
シークモータ２０９からの駆動力はシークモータの出力軸に設けられているネジ部に噛み合うティース２０８Ａを介してピックアップハウジング２０８に伝えられることによりピックアップハウジング２０８が往復動することができる。
【００４７】
ドロワ２０２の一部には、外装ケース２０１側に設けられているロック解除機構３００に係脱可能なドロワ爪２０２Ａが設けられており、ドロワ爪２０２Ａは、ロック解除機構３００に有するソレノイド３０１によって作動されるイジェクトロックレバー３０２に係脱できるようになっている。  
ロック解除機構３００では、イジェクトロックレバー３０２が揺動可能に設けられており、ソレノイド３０１の励磁動作に応じてドロワ爪２０２Ａに対する係合状態を解除できるようになっている。
【００４８】
図１１は、ドロワ２０２が外装ケース２０１内に引き込まれた状態を示し図１２は、ドロワ２０２が外装ケース２０１から外部に引き出された状態をそれぞれ示している。
【００４９】
図１１および図１２においてドロワ２０２には、光ディスクＤの最外周よりも外側の位置に対物レンズの保護部３１０が設けられている。  
保護部３１０は、図１３に示すように、光ディスクＤの最外周よりも外側の位置に直立させた側面視形状が倒立Ｌ字状のカバー部材であり、対物レンズ２０６の上方を覆うことができるように、光ディスクＤの最外周近傍に向けて張り出している。
【００５０】
本実施例では、対物レンズ２０５の保護が必要な時期において強制的に保護部３１０に向けてピックアップハウジング２０８が移動され、この移動に関する制御条件は、図３に示した制御部１００に適用される条件と同様である。
【００５１】
本実施例は、以上のような構成において、ピックアップハウジング２０８は、光ディスクＤが搭載されていないときや電源投入時あるいはイジェクト時さらには、例えば、図１３において実線で示すように光ディスクＤの外周内に位置している場合、図１３において二点鎖線で示すように、読み書き終了時にシークモータ２０９が動作することにより強制的に保護部３１０に向けて移動させられる。これにより、対物レンズ２０５の上方は、保護部３１０を構成するカバー部材で覆われることになるので、対物レンズ２０５への接触や汚損物質の付着が防止される。
【００５２】
次に請求項８乃至１０記載の発明にかかる実施例について説明する。  
本実施例は、対物レンズの保護部を保護すべき位置に移動したピックアップハウジングによって駆動する構成を特徴としている。  
図１４は、対物レンズの保護部４００とピックアップハウジング２０８との関係を説明するための図であり、同図において、対物レンズの保護部４００は、ピックアップモジュール２０３側において揺動可能に支持されて対物レンズ２０５の上方を覆うことができる方向の移動する習性が付与されている。  
本実施例では、図１４（Ａ）に示すように、保護部４００が支持ピン４０１を支点として回動可能な片部材が用いられるカバー部材４００Ａで構成されており、支持ピン４０１を挟んだ回動端の一方には、ピックアップモジュール２０３の不動部との間に設けられたバネなどの弾性体４０２が設けられて対物レンズ２０５から離間して対物レンズ２０５から外れる位置に移動する方向の回動習性が付与されている。
【００５３】
保護部４００の回動端の他方は、ピックアップハウジング２０８の移動路中に進出しており、ピックアップハウジング２０８側に設けられている作動片２０８Ａに干渉できる構成とされている。
【００５４】
本実施例では、ピックアップハウジング２０８が光ディスクと対向する位置にあるときには、カバー部材４００Ａが弾性体４０２の付勢により対物レンズ２０５から外れる位置に移動しており、この位置は図示しない係止部によって位置決めされている。
【００５５】
一方、ピックアップハウジング２０８が保護部４００に向けて移動すると、図１４（Ｂ）に示すように、カバー部材４００Ａの移動路中に進入している回動端の他方がピックアップハウジング２０８の片部２０８Ａと干渉することによりカバー部材４００Ａが対物レンズ２０５を覆う向きに回動する。これにより対物レンズ２０５は、カバー部材４００Ａにより上方を覆われることで接触や汚損物質の付着を防止されることになる。
【００５６】
本実施例においては、回動部材であるカバー部材４００Ａの回動が移動する既存構成部材であるピックアップハウジング２０８を利用するだけで済むので、対物レンズの保護のための特別な構造部品を要しないで済む。
【図面の簡単な説明】
【００５７】
【図１】請求項１乃至５記載の発明の実施例による光ピックアップ装置のドライブ機構を説明するための平面図である。
【図２】図１に示したドライブ機構の側面視的な図である。
【図３】図１に示したドライブ機構に用いられる制御部の構成を説明するためのブロック図である。
【図４】図１に示した光ピックアップ装置に一態様を説明するための図である。
【図５】図４に示した光ピックアップ装置の一態様を示す平面図である。
【図６】図１に示した実施例における一部変形例を示す平面図である。
【図７】図３に示した制御部の作用を説明するためのフローチャートである。
【図８】本実施例に対する従来例におけるトレイ引き出し時での制御内容を説明するためのフローチャートである。
【図９】本実施例に対する従来例におけるトレイ引き込み字での制御内容を説明するためのフローチャートである。
【図１０】本実施例によるトレイ引き込み時での制御内容を説明するためのフローチャートである。
【図１１】本発明実施例による光ディスク装置の要部構成を説明するための平面図である。
【図１２】図１１に示した要部構成の引き出し状態を示す平面図である。
【図１３】図１１中、符号（１３）で示す方向の矢視図である。
【図１４】図１１に用いられる保護部の別例を説明するための図であり、（Ａ）は保護部が対物レンズから外れた状態を、（Ｂ）は保護部が対物レンズを覆っている状態をそれぞれ示している。
【符号の説明】
【００５８】
１  光ピックアップ装置のドライブ機構に用いられる外装部
２  クランプホルダー
３  クランプ
４  ピックアップハウジング
５，２０５  対物レンズ
１００  制御部
１０１  イジェクトスイッチ
１０２  操作部
１０３  電源スイッチ
２００  光ディスク装置
２０２  ドロワ
２０３  ピックアップモジュール
２０４  スピンドルモータ
２０６  ピックアップアクチュエータ
２０８  ピックアップハウジング
２０８Ａ  片部
３１０，４００  対物レンズの保護部
４００Ａ  片部材からなるカバー部材
４０１  支持ピン
４０２  弾性体
【図１】
2005293694.tif 000003
【図２】
2005293694.tif 000004
【図３】
2005293694.tif 000005
【図４】
2005293694.tif 000006
【図５】
2005293694.tif 000007
【図６】
2005293694.tif 000008
【図７】
2005293694.tif 000009
【図８】
2005293694.tif 000010
【図９】
2005293694.tif 000011
【図１０】
2005293694.tif 000012
【図１１】
2005293694.tif 000013
【図１２】
2005293694.tif 000014
【図１３】
2005293694.tif 000015
【図１４】
2005293694.tif 000016